(57)【要約】【課題】外扉の下端側の支軸を切断することによる不正行為を効果的に防止することのできる自動販売機を提供する。【解決手段】支軸３２の下端側の外周を覆う第１の円筒状部材３３と、第１の円筒状部材３３の下端側の外周を回動自在に覆う第２の円筒状部材３４とを備えたので、金鋸等の切断工具によって支軸３２を切断しようとした場合でも、支軸３２の下端側は第１の円筒状部材３３及び第２の円筒状部材３４によって二重に覆われるとともに、切断工具の刃を動作させても第２の円筒状部材３４が回動して支軸を容易に切断することができず、支軸３２の切断による不正行為を効果的にに防止することができる。【選択図】図５
2005128841.tif 000002
【特許請求の範囲】
【請求項１】
前面を開口した自動販売機本体と、自動販売機本体の前面を開閉する外扉とを備え、外扉の下端側を自動販売機本体側に上方に延びるように設けられた支軸に回動自在に挿入した自動販売機において、
前記外扉の下端を支持し、支軸の下端側の外周を覆う第１の円筒状部材と、
第１の円筒状部材の外周を回動自在に覆う第２の円筒状部材とを備えた
ことを特徴とする自動販売機。
【請求項２】
前記支軸及び各円筒状部材を焼入れ処理を施した金属材料によって形成した
ことを特徴とする請求項１記載の自動販売機。
【請求項３】
前記支軸の下端を自動販売機本体に螺合することによって固定した
ことを特徴とする請求項１または２記載の自動販売機。
【発明の詳細な説明】
【技術分野】
【０００１】
本発明は、自動販売機本体の前面を開閉する回動自在な外扉を備えた自動販売機に関するものである。
【背景技術】
【０００２】
従来、この種の自動販売機としては、前面を開口した自動販売機本体と、自動販売機本体の前面を開閉する外扉とを備え、外扉の幅方向一端側の上端を自動販売機本体の上面に取付けた支持板に回動自在に連結され、その下端を自動販売機本体の底面前端側に上方に延びるように設けられた支軸に回動自在に挿入されたものが知られている。
【０００３】
この自動販売機においては、外扉の下端面と自動販売機本体との間には、隙間が設けられているため、外扉の下方の支軸を切断工具によって切断して外扉を強制的に開放し、内部の金銭や商品を盗み出すといった不正行為を防止することができないという欠点があった。
【０００４】
そこで、外扉の下端側が回動自在に挿入される支軸の上端側に対し、外部に露出する下端側の外形を大きく形成し、更に表面に焼入れ処理を施すことにより、支軸を容易に切断できないようにしたものが知られている（例えば、特許文献１参照）。
【特許文献１】特開２００１−３０７２００号公報
【発明の開示】
【発明が解決しようとする課題】
【０００５】
しかしながら、前述のように支軸の外形を大きく形成した場合でも、支軸の下端側は外部に露出しているため、切断に対する防止効果が十分でないという問題点があった。
【０００６】
本発明は、前記問題点に鑑みてなされたものであり、その目的とするところは、外扉の下端側の支軸を切断することによる不正行為を効果的に防止することのできる自動販売機を提供することにある。
【課題を解決するための手段】
【０００７】
本発明は前記目的を達成するために、前面を開口した自動販売機本体と、自動販売機本体の前面を開閉する外扉とを備え、外扉の下端側を自動販売機本体側に上方に延びるように設けられた支軸に回動自在に挿入した自動販売機において、前記外扉の下端を支持し、支軸の下端側の外周を覆う第１の円筒状部材と、第１の円筒状部材の外周を回動自在に覆う第２の円筒状部材とを備えている。これにより、例えば金鋸等の切断工具によって支軸を切断しようとした場合でも、支軸の下端側は第１の円筒状部材及び第２の円筒状部材によって二重に覆われるとともに、切断工具の刃を動作させても第２の円筒状部材が回動することから、支軸が容易に切断されることはない。
【発明の効果】
【０００８】
本発明によれば、金鋸等の切断工具によって支軸を切断しようとした場合でも、支軸の下端側は第１の円筒状部材及び第２の円筒状部材によって二重に覆われるとともに、切断工具の刃を動作させても第２の円筒状部材が回動して容易に支軸を切断することができないので、支軸の切断による不正行為を効果的に防止することができる。
【発明を実施するための最良の形態】
【０００９】
図１乃至図５は本発明の一実施形態を示すもので、図１は自動販売機の全体斜視図、図２は外扉を開放した自動販売機の斜視図、図３はその要部斜視図、図４はその分解斜視図、図５はその要部正面断面図である。
【００１０】
この自動販売機は前面を開口した自動販売機本体１０と、自動販売機本体１０の前面を開閉する外扉２０と、自動販売機本体１０と外扉２０を連結する連結機構３０とから構成されている。
【００１１】
自動販売機本体１０はその前面を内扉１１によって開閉する断熱性の商品収納庫１２と、商品収納庫１２の下方に設けられた機械室１３とを備え、機械室１３内には図示しない冷凍機や電装ユニットが収納されている。
【００１２】
外扉２０は前面に商品サンプル２１、商品選択スイッチ２２、硬貨投入口２３、紙幣投入口２４、硬貨返却口２５及び商品取出口２６を備え、その幅方向一端側を自動販売機本体１０の前面側に回動自在に支持されている。
【００１３】
連結機構３０は自動販売機本体１０の幅方向一端側の上面に設けられた支持板３１と、自動販売機本体１０の底面前端側の幅方向一端側に設けられた上方に延びる支軸３２と、支軸３２の外周面を覆う第１の円筒状部材３３と、第１の円筒状部材３３の外周面を覆う第２の円筒状部材３４とから構成されている。
【００１４】
支持板３１は板状の部材からなり、自動販売機本体１０の上面から外扉２０の上面に亘るように設けられ、その後端側は自動販売機本体１０に固定され、その前端側は外扉２０を回動自在に支持している。
【００１５】
支軸３２は焼入れ処理を施した金属製の棒状の部材からなり、上端側を断面六角形状に形成されるとともに、下端側を雄ネジ状に形成されている。自動販売機本体１０の底面前端側には補強板３２ａを介してナット３２ｂが溶接等により固着され、ナット３２ｂには支軸３２の下端が螺合している。また、支軸３２の上端側は外扉２０の下端側に設けられた支持板２０ａの孔２０ｂに挿入されるようになっている。
【００１６】
第１の円筒状部材３３は焼入れ処理を施した金属製の部材からなり、支軸３２の下端側に挿入されている。また、支軸３２には第１の円筒状部材３３の上方に樹脂製のブシュ３３ａが挿入され、ブシュ３３ａによって外扉２０の下端側の支持板２０ａが回動自在に支持されている。
【００１７】
第２の円筒状部材３４は焼入れ処理を施した金属製の部材からなり、第１の円筒状部材３３の高さ寸法よりも小さく形成され、第１の円筒状部材３３の外側に回動自在に挿入されている。
【００１８】
以上のように構成された自動販売機において、例えば金鋸等の切断工具によって支軸３２を切断しようとした場合でも、支軸３２の下端側は第１の円筒状部材３３及び第２の円筒状部材３４によって外周面を二重に覆われるとともに、第２の円筒状部材３４は第１の円筒状部材３３の外側に回動自在に設けられているため、切断工具の刃を動作させても第２の円筒状部材３４が回動して容易に支軸３２を切断することはできない。
【００１９】
このように、本実施形態の自動販売機によれば、支軸３２の下端側の外周を覆う第１の円筒状部材３３と、第１の円筒状部材３３の下端側の外周を回動自在に覆う第２の円筒状部材３４とを備えたので、金鋸等の切断工具によって支軸３２を切断しようとした場合でも、支軸３２の下端側は第１の円筒状部材３３及び第２の円筒状部材３４によって二重に覆われるとともに、切断工具の刃を動作させても第２の円筒状部材３４が回動して支軸を容易に切断することができず、支軸３２の切断による不正行為を効果的に防止することができる。
【００２０】
また、支軸３２及び各円筒状部材３３，３４に焼入れ処理を施したので、焼入れ処理によって支軸３２及び各円筒状部材３３，３４の硬度を高めることができ、支軸３２の切断による不正行為をより効果的に防止することができる。
【００２１】
また、支軸３２の下端を自動販売機本体１０に螺合することによって固定するようにしたので、支軸３２を自動販売機本体１０に容易に取付けることができるとともに、部品の簡素化を図ることもできる。
【図面の簡単な説明】
【００２２】
【図１】本発明の一実施形態を示す自動販売機の全体斜視図
【図２】外扉を開放した自動販売機の斜視図
【図３】自動販売機の要部斜視図
【図４】自動販売機の要部分解斜視図
【図５】自動販売機の要部正面断面図
【符号の説明】
【００２３】
１０…自動販売機本体、２０…外扉、３２…支軸、３３…第１の円筒状部材、３４…第２の円筒状部材。
【図１】
2005128841.tif 000003
【図２】
2005128841.tif 000004
【図３】
2005128841.tif 000005
【図４】
2005128841.tif 000006
【図５】
2005128841.tif 000007